(57)【特許請求の範囲】
【請求項１】
ヒンジ部を介して、底部を囲むように配設された側壁が、底部に重なるように折り畳むことが可能な折り畳みコンテナーにおいて、該折り畳みコンテナーの底部の裏面には、下に位置する並設された２つの容器の隣接するフランジが嵌合可能な間隙を置いて、前記下に位置する並設された２つの容器の開口部にそれぞれ嵌合可能な２つの嵌合段部が形成されているとともに、前記間隙は、前記フランジの幅の２倍より、若干、広く形成されており、更に、前記下に位置する並設された２つの容器の隣接するフランジに、前記２つの嵌合段部間に形成された、前記折り畳みコンテナーの底部の裏面を構成する帯状部が載置され、且つ、前記下に位置する並設された２つの容器の前記隣接するフランジ以外のフランジに、前記折り畳みコンテナーの底部の裏面を構成する周状部が載置されるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，長方形の底部の相対する長辺側に、適当なヒンジ部により連結された長側壁と、同じく上記底部の相対する短辺側に、適当なヒンジ部により連結された短側壁とからなる折り畳みコンテナーが知られており、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型のコンテナーに組み立てるように構成されている。
【０００３】
【発明が解決しようとする課題】
従来、同じ大きさの組み立てられた折り畳みコンテナー同士を、段積みすると、下に位置する折り畳みコンテナーの開口部に、上に位置する折り畳みコンテナーの底面に形成された嵌合段部が嵌合されて、上に位置する折り畳みコンテナーが、下に位置する折り畳みコンテナーに対して、水平方向に移動しなうように構成され、安定した状態で段積みができるように構成されている。しかしながら、このような従来の折り畳みコンテナーを、該折り畳みコンテナーのほぼ半分の大きさを有する折り畳みコンテナーが２つ並設された上に、或いは、同じく該折り畳みコンテナーのほぼ半分の大きさを有する、合成樹脂で一体成形された運搬用容器が２つ並設された上に載置すると、上に位置する折り畳みコンテナーの底面に形成された嵌合段部が、下に位置する並設された２つの折り畳みコンテナーの隣接するフランジ上に載置されるため、或いは、下に位置する並設された２つの運搬用容器の隣接するフランジ上に載置されるために、上に位置する折り畳みコンテナーが、上記のフランジを支点に、シーソーのように揺動したり、水平方向に移動したりし、従って、安定した状態で段積みすることができないという問題がある。
【０００４】
本発明の目的は、上述した従来の折り畳みコンテナーが有する課題を解決することにある。
【０００５】
【課題を解決するための手段】
本発明は、上述した目的を達成するために、ヒンジ部を介して、底部を囲むように配設された側壁が、底部に重なるように折り畳むことが可能な折り畳みコンテナーにおいて、該折り畳みコンテナーの底部の裏面には、下に位置する並設された２つの容器の隣接するフランジが嵌合可能な間隙を置いて、前記下に位置する並設された２つの容器の開口部にそれぞれ嵌合可能な２つの嵌合段部が形成されているとともに、前記間隙は、前記フランジの幅の２倍より、若干、広く形成されており、更に、前記下に位置する並設された２つの容器の隣接するフランジに、前記２つの嵌合段部間に形成された、前記折り畳みコンテナーの底部の裏面を構成する帯状部が載置され、且つ、前記下に位置する並設された２つの容器の前記隣接するフランジ以外のフランジに、前記折り畳みコンテナーの底部の裏面を構成する周状部が載置されるように構成したものである。
【０００６】
【実施例】
以下に、本発明の実施例について説明するが、本発明の趣旨を越えない限り何ら、本実施例に限定されるものでない。
【０００７】
１は、平面形状が長方形状の底部であり、底部１の相対する長辺側には、適当なヒンジ部を介して長側壁２が連結されており、また、底部１の相対する短辺側には、同じく適当なヒンジ部を介して短側壁３が連結されている。なお、組み立てられた状態の折り畳みコンテナーＣの短側壁３が、内側に、簡単に、倒れないように、長側壁２と短側壁３の左右両端部を係合する係合部や、底部１と長側壁２及び底部１と短側壁３とをヒンジ結合させるためのヒンジ部の構成は、本願出願前、既に、周知（例えば、特開平６−１３４２号、特開平８−３１８９３９号等を参照のこと。）であるので、その詳細な説明は省略する。
【０００８】
図１に示されているように、箱型に組み立てられた状態の折り畳みコンテナーＣを折り畳むには、先ず最初に、短側壁３を折り畳みコンテナーＣの内側に倒して、図２に示されているように、底部１の上に重ねる。次いで、同じく、長側壁２を折り畳みコンテナーＣの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を垂直に立て、次いで、短側壁３を垂直に立てて、折り畳みコンテナーＣを箱型に組み立てる。
【０００９】
底部１の裏面１ａには、下方に突出した２つの嵌合段部４が、後述する所定の間隙Ｄを置いて形成されている。この２つの嵌合段部４の相対する辺４ａを除いた辺で形成される輪郭は、ほぼ長方形に形成されている。この輪郭の大きさは、組み立てられた折り畳みコンテナーＣの開口部５の平面形状の大きさより、若干、小さく形成されており、組み立てられた折り畳みコンテナーＣ同士を、段積みした際には、下に位置する折り畳みコンテナーＣの開口部５に、上に位置する折り畳みコンテナーＣの底部１の裏面１ａに形成された２つの嵌合段部４が嵌合されるように構成されている。このように、下に位置する折り畳みコンテナーＣの開口部５に、上に位置する折り畳みコンテナーＣの２つの嵌合段部４が嵌合することにより、上に位置する折り畳みコンテナーＣが、下に位置する折り畳みコンテナーＣに対して、水平方向に移動しなうように構成され、安定した状態で段積みができるように構成されている。上記のように、下に位置する折り畳みコンテナーＣの開口部５に、上に位置する折り畳みコンテナーＣの底部１の裏面１ａに形成された２つの嵌合段部４が嵌合された際には、下に位置する折り畳みコンテナーＣの長側壁２の上端及び短側壁３の上端に、上に位置する折り畳みコンテナーＣの底部１の２つの嵌合段部４を囲むように形成されている底部１の裏面１ａの周状部１ａ’が載置されるように構成されている。なお、本実施例においては、嵌合段部４は、周壁４ａと、周壁４ａに沿って縦横に走る交差リブ４ｂにより形成されている。
【００１０】
Ｃ’は、合成樹脂で一体成形された運搬用容器であり、運搬用容器Ｃ’は、平面形状がほぼ方形状の底部ｃ１と、底部ｃ１の各辺から、外側に、若干、傾斜するように、上方に延在する側壁ｃ２と、側壁ｃ２を囲むように、側壁ｃ２の上端から、外側に水平状に延在するフランジｃ３とを有している。本実施例においては、側壁ｃ２は、幅の広い相対する長側壁ｃ２’と、該長側壁ｃ２’に比べて幅の狭い相対する短側壁ｃ２”から構成されている。そして、運搬用容器Ｃ’の長側壁ｃ２’の幅は、折り畳みコンテナーＣの短側壁３の幅とほぼ同じ幅に形成されており、また、運搬用容器Ｃ’の短側壁ｃ２”の幅は、折り畳みコンテナーＣの長側壁２の幅のほぼ半分の幅に形成されている。
【００１１】
折り畳みコンテナーＣの底部１の裏面１ａに形成された嵌合段部４の大きさは、上述した運搬用容器Ｃ’の開口部ｃ４より、若干、小さく形成されており、また、２つの嵌合段部４間の間隙Ｄは、運搬用容器Ｃ’のフランジｃ３の幅（長側壁ｃ２’或いは短側壁ｃ２”に対して垂直な方向の長さ）ｄの２倍より、若干、広く形成されている。
【００１２】
上述したように、折り畳みコンテナーＣの底部１の裏面１ａに形成された嵌合段部４の大きさは、上述した運搬用容器Ｃ’の開口部ｃ４より、若干、小さく形成されており、また、２つの嵌合段部４間の間隙Ｄは、運搬用容器Ｃ’のフランジｃ３の幅ｄの２倍より、若干、広く形成されているので、２つの運搬用容器Ｃ’を、長側壁ｃ２’側に位置するフランジｃ３同士が隣接するように配置し、この上に折り畳みコンテナーＣを載置した際には、折り畳みコンテナーＣの底部１の裏面１ａに形成された２つの嵌合段部４は、それぞれ、下に位置する２つの運搬用容器Ｃ’の開口部ｃ４に嵌合されるとともに、隣接するように並設された２つの運搬用容器Ｃ’のフランジｃ３は、折り畳みコンテナーＣの底部１に配設された２つの嵌合段部４間に形成された間隙Ｄに嵌合され、更に、上に位置する折り畳みコンテナーＣの底部１の裏面１ａの周状部１ａ’及び間隙Ｄに位置する裏面１ａの帯状部１ａ”が、下に位置する運搬用容器Ｃ’のフランジｃ３に載置されるように構成されている。このように構成したので、折り畳みコンテナーＣが、水平方向に移動することなく、安定した状態で、下に位置する２つの運搬用容器Ｃ’上に段積されることになる。
【００１３】
なお、下方に位置する容器としては、上述した運搬用容器Ｃ’に限定されることなく、このような運搬用容器Ｃ’を、折り畳みコンテナーとして形成することもできる。また、折り畳みコンテナーＣの平面形状或いは折り畳みコンテナーＣが載置される、下に位置する容器の平面形状は、ほぼ長方形である必要はなく、何方か一方を、ほぼ正方形にするとができる。
【００１４】
更には、折り畳みコンテナーＣを、折り畳みコンテナーＣのほぼ三分の一の大きさを有する３つの並設された容器上に載置することもできる。この場合には、折り畳みコンテナーＣの底部１の裏面１ａには、３つの嵌合段部が形成されることになる。なお更には、同様にして、適宜、４つ以上の嵌合段部を形成することもできる。また、折り畳みコンテナーＣを、１つの容器上にも載置することもできる。
【００１５】
【発明の効果】
本発明は、以上説明した構成を有しているので、以下に記載する効果を奏するものである。
【００１６】
折り畳みコンテナーを、下に位置する容器に、安定した状態で載置することができる。
【図面の簡単な説明】
【図１】図１は本発明の折り畳みコンテナーの組み立てられた状態の斜視図である。
【図２】図２は本発明の折り畳みコンテナーの折り畳み途中の斜視図である。
【図３】図３は本発明の折り畳みコンテナーの折り畳まれた状態の斜視図である。
【図４】図４は本発明の折り畳みコンテナーの折り畳まれた状態での底部の裏面側からの斜視図である。
【図５】図５は本発明の折り畳みコンテナーが載置される容器が２つ並設された状態の斜視図である。
【図６】図６は２つの容器と該２つの容器上に載置された折り畳みコンテナーの垂直断面図である。
【符号の説明】
１・・・・・・・・底部
２・・・・・・・・長側壁
３・・・・・・・・短側壁
４・・・・・・・・嵌合段部
５・・・・・・・・開口部
【図１】
0003707968.tif 000002
【図２】
0003707968.tif 000003
【図３】
0003707968.tif 000004
【図４】
0003707968.tif 000005
【図５】
0003707968.tif 000006
【図６】
0003707968.tif 000007